(57)【要約】【課題】飲酒運転による交通事故を防止するため、運転しようとする者が酩酊している場合は自動車が走行できないようにする。【解決手段】（Ｃ）図に示すように、電子キー２にアルコールセンサ２ａを設けるとともに、マイクロコンピュータ２ｂ、及びボタン電池２ｄを内蔵してある。上記アルコールセンサ２ａがアルコールを検知すると、マイクロコンピュータ２ｂはイグニション作動阻止信号を出力する。出力されたイグニション作動阻止信号は電極２ｃを経てイグニション回路（（Ａ）図参照）に送られる。これによってエンジンは始動できなくなる。【選択図】図１
2008007100.tif 000002
【特許請求の範囲】
【請求項１】
自動車の運転席付近に設けられた電子スイッチ（２２）に挿入して該電子スイッチを運転可能状態ならしめる電子キー（２）であって、アルコールを検知するアルコールセンサ（２ａ）と、湿度を検知する湿度センサ（２ｅ）とが設けられていることを特徴とする、運転操作における危険防止装置。
【請求項２】
前記電子キー（２）は、マイクロコンピュータ（２ｂ）を内蔵しており、
該マイクロコンピュータは、前記アルコールセンサ（２ａ）からアルコール検出信号を入力されると、イグニション回路に対して作動阻止の指令信号を出力することを特徴とする、請求項１に記載した運転操作における危険防止装置。
【請求項３】
前記電子キー（２）は、マイクロコンピュータ（２ｂ）を内蔵しており、
該マイクロコンピュータは、前記アルコールセンサ（２ａ）からアルコール検出信号を入力されると、始動モータの１次回路を開かせる始動阻止指令信号を出力することを特徴とする、請求項１に記載した運転操作における危険防止装置。
【請求項４】
前記電子キー（２）は、マイクロコンピュータ（２ｂ）を内蔵しており、
該マイクロコンピュータは、前記アルコールセンサ（２ａ）からアルコール検出信号を入力されると、燃料供給系統に対して作動阻止指令信号を出力することを特徴とする、請求項１に記載した運転操作における危険防止装置。
【発明の詳細な説明】
【技術分野】
【０００１】
本発明は、飲酒運転操作による危険を未然に防止する装置に関するものである。
【背景技術】
【０００２】
飲酒して酩酊した者が自動車を運転操作することは、重大な交通事故の原因となるから、厳禁されなければならない。
従来の飲酒運転防止は、主として法的規制と、運転者本人の自覚とによっていた。しかし、飲酒運転に起因する人身事故は、なかなか跡を絶たない。
運転者の資格，条件を科学的に判定して、失格者が運転しようとしても当該自動車のエンジンが始動しないようにする技術として、特開２００１−３３１８８７号公報「車両管理装置及び携帯情報部材」が公知である。
【０００３】
上記の公知技術は、例えば危険物運搬車など特定の車両を運転する場合、該特定の車両を運転する資格を持たないドライバがその車両を運転できないようにするものである。具体的には、ドライバが携帯している資格カードを電磁的に読み取って、「資格有り」と判定したとき、自動的に運転可能な状態ならしめる。
この作動原理から明らかなように、この公知技術は「運転者が携帯している資格カードが有効であるか否か」を判定の対象とするものであって、該運転者の身体的状態や精神的状態を問わない。従って、該運転者が酩酊していても「資格有り」と判定してしまうことになる。
【０００４】
本発明を創作する過程において案出した試案の危険運転防止装置について、図４を参照して説明する。
運転席付近に運転席アルコールセンサ１Ａを設けるとともに、客席付近に客席アルコールセンサ１Ｂを設け、空気中のアルコール蒸気濃度を検出する。
運転席アルコールセンサ１Ａの検出信号および客席アルコールセンサ１Ｂの検出信号は、それぞれアルコール検出回路３Ａおよびアルコール検出回路３Ｂに入力される。
上記双方の検出回路で検出された空気中のアルコール濃度（厳密にはアルコール類およびアルデヒト類の総合濃度、以下同様）は比較判定回路４に入力される。
【０００５】
比較判定の結果、運転席アルコールセンサ１Ａが空気中アルコールを検知していないか、または所定値以下であれば「運転者は酩酊していない」と判定し、別段の信号出力を行わない。
運転席アルコールセンサ１Ａで検出した空気中アルコール濃度が所定値以上であれば、客席アルコールセンサ１Ｂによる空気中アルコール濃度と比較し、
運転席アルコールセンサ１Ａの検出値の方が有意的に低ければ「運転者は酩酊していない」と判定する。
また、運転席アルコールセンサ１Ａの検出値が客席アルコールセンサ１Ｂの検出値と同程度以上であれば「運転者が酩酊している」と判定する。
【０００６】
比較判定回路４が「運転者酩酊」と判定すると、次の段落０００７で述べるようにして、当該自動車の運転を阻止する指令信号を出力する。
以上に述べた構造機能から明らかなように、例えばタクシーの客席に泥酔者を担ぎ入れた場合、該泥酔者の呼気が車室内に流れるので、運転席アルコールセンサ１Ａも空気中アルコールを感知する。
しかし、運転席アルコールセンサ１Ａよりも客席アルコールセンサ１Ｂの方が高濃度の空気中アルコールを検出するので、前記の比較判定回路４は「運転者が酩酊していない」と判定し、次の段落で述べる「運転を阻止する指令信号」を出力しない。このような機能は、公共的な交通機関のように不特定の者を同乗させる機会の多い自動車において特に実用価値が高い。
【０００７】
比較判定回路４が「運転席アルコールセンサ１Ａの出力信号の値が所定値以上であり、かつ、客席アルコールセンサ１Ｂの出力信号値よりも大きい」と判定したとき、次の指令信号５，７，９，１１，１３の内の少なくとも何れか一つを出力する。複数の指令信号を出力しても構わないが、通常は一つで足りる。
変速機中立位置ロック指令信号５は、トランスミッション６を、中立位置から動かせないようにロックして、エンジンから車輪に至る伝動系統を遮断する。
【０００８】
点火系統作動阻止指令信号７は、キースイッチ８の電気回路を開いて、ガソリンエンジン用点火プラグに高圧電気パルスが印加されないようにする（ただし、ガソリンエンジンにのみ適用される）。
操向系統作動阻止指令信号９は、パワーステアリング１０、または、これに類似する機構部分が作動できないようにする。
【０００９】
始動電動機作動阻止指令信号１１は、セルモータ１２のリレースイッチ１次回路を開いて、エンジンを始動できないようにする。
燃料供給遮断指令信号１３は、燃料系統の機器（例えば燃料ノズル１４、または燃料パイプ）の燃料送給を遮断して、エンジンが回転できないように、少なくとも回転を継続できないようにする。
上記５種類の指令信号の何れが出力されても、当該自動車の走行機能を分担している重要な機構が作動しなくなって、自動車は走行できなくなる。
すなわち、運転者が酩酊していれば自動車の走行が自動的に阻止され、酩酊運転が防止される。
【特許文献１】特開２００１−３３１８８７号公報
【発明の開示】
【発明が解決しようとする課題】
【００１０】
飲酒運転の禁止規定（道路交通法第６５条）の罰則を強化することも効なしとしない。  しかし乍ら、酩酊状態で運転して人身事故を起こしてしまった犯人を厳罰に処したところで、失われた人命は二度と還ってこない。
そこで、事故を起こす前に、酩酊したドライバーによる運転を自動的に阻止する科学的な方法の開発が望まれる。これは正に社会的要請である。
前記の公知技術（特開２００１−３３１８８７号公報）は、ドライバーの免許資格を記録した磁気カードによって運転の可否を判定するものであるが、この免許資格は永続的なものである。すなわち、一旦免許資格を付与されると次回の更新時まで磁気カードが有効である。
【００１１】
免許資格が永続的であるのに比して、酩酊・覚醒は身体の一時的現象であって、時間的経過に伴って変化する。
従って、ドライバーの酩酊状態を検知して運転の可否を自動的に判定することは、前記公知技術を適用しても達成できない。
本発明は上述の事情の鑑みて為されたものであって、酩酊したドライバーが自動車の運転席に坐ったとき、自動的に酩酊していることを検知して、自動的に運行を阻止する装置を提供しようとするものである。
【００１２】
前記の試案に係る装置は、運転者を標的として呼気中のアルコール濃度を検知するので、前記公知技術に比して格段に優れている。
しかし-自動車の窓が開け放されているときは、運転者の酩酊を検知することが困難であって、「酩酊状態」を「ほろ酔い状態」と誤る虞れが有る。
【００１３】
本発明は上述の事情に鑑みて為されたものであって、その目的は、自動車の窓が開放されていても誤作動する虞れ無く、酩酊者が同乗していても誤作動する虞れの無い危険運転防止装置を提供することである。
【課題を解決するための手段】
【００１４】
前記の目的を達成するために創作した請求項１の発明に係る危険運転防止装置は、
自動車の運転席付近に設けられている電子スイッチ（２２）に挿入して該電子スイッチを運転可能状態ならしめる電子キー（２）であって、アルコールを検知するアルコールセンサ（２ａ）と、湿度を検知する湿度センサ（２ｅ）とが設けられていることを特徴とする。
この［課題を解決するための手段］の欄においては、図面との対照を容易ならしめるよう、構成部材の符号に図面参照符号を括弧書きで付記してあるが、この符号は本発明の構成を図面どおりに限定するものではない。
【００１５】
請求項２の発明に係る危険運転防止装置は、前記電子キー（２）は、マイクロコンピュータ（２ｂ）を内蔵しており、
該マイクロコンピュータは、前記アルコールセンサ（２ａ）からアルコール検出信号を入力されると、イグニション回路に対して作動阻止の指令信号を出力することを特徴とする。
【００１６】
請求項３の発明に係る危険運転防止装置は、前記電子キー（２）は、マイクロコンピュータ（２ｂ）を内蔵しており、
該マイクロコンピュータは、前記アルコールセンサ（２ａ）からアルコール検出信号を入力されると、始動モータの１次回路を開かせる始動阻止指令信号を出力することを特徴とする。
【００１７】
請求項４の発明に係る危険運転防止装置は、前記電子キー（２）は、マイクロコンピュータ（２ｂ）を内蔵しており、
このマイクロコンピュータは、前記のアルコールセンサ（２ａ）からアルコール検出信号を入力されると、燃料供給系統に対して、燃料供給系統の作動を阻止する指令信号を出力することを特徴とする。
【発明の効果】
【００１８】
請求項１の発明に係る危険運転防止装置を適用すると、
電子キーにアルコールセンサと、湿度センサとが設けられているので、上記湿度センサによって「該電子キーが人の手に持たれていること」を確認した上で、前記アルコールセンサによって酩酊しているか否かを検知することができる。
【００１９】
請求項２の発明に係る危険運転防止装置を適用すると、アルコールセンサからアルコール検出信号を入力されたマイクロコンピュータがイグニション回路に対して作動阻止の指令信号を出力し、その作動を阻止するので自動車が発進できず、飲酒運転による危険が未然に防止される。
この請求項２の発明装置はガソリンエンジン搭載車に好適である。
【００２０】
請求項３の発明に係る危険運転防止装置を適用すると、アルコールセンサからアルコール検出信号を入力されたマイクロコンピュータが始動モータの作動を阻止するので自動車が発進できず、飲酒運転による危険が未然に防止される。
【００２１】
請求項４の発明に係る危険運転防止装置を適用すると、アルコールセンサからアルコール検出信号を入力されたマイクロコンピュータが燃料供給系統の作動を阻止するので自動車が発進できない。
このため、飲酒運転による危険が未然に防止される。
この請求項４の発明装置は、ガソリンエンジン搭載車であってもディゼルエンジン搭載車であっても適用することができる。
【発明を実施するための最良の形態】
【００２２】
本発明は、酩酊者の汗にアルコールが含まれていることを利用して、運転者が酩酊しているか否かを判定する。
図１は、本発明に係る自動車用電子キーを示す概要的な模式図である。
（図１（Ａ）参照）ダッシュボード２１に電子スイッチ２２が設けられていて、電子キー２を挿し込んで回すとイグニション回路が作動する。
図示を省略するが、上記のイグニション回路をスタータモータ回路と読み換えることもできる。
要するに、従来のキースイッチが機械的接点を有する機器であったのに比し、電子スイッチ２２は電子キー２と接続されて初めて回路を形成し得る構造である。電子キー２は単なる機械的な駆動用具ではなく、導電回路の一部を内蔵している。
【００２３】
図１（Ｂ）は、電子キーによって自動車のエンジンを始動するため指先で持った状態の外観図である。
図１（Ｃ）は、本発明を適用して構成された電子キー２を指先で持った状態を描いた模式図である。
この実施形態の電子キー２は、これを持ったとき指先に触れる箇所にアルコールセンサ２ａが設けられるとともに、超小形のマイクロコンピュータ２ｂとボタン電池２ｄとを内蔵している。
運転者が酩酊していると、汗の中にアルコールおよびアセトアルデヒトが含まれているので、アルコールセンサ２ａがアルコール蒸気を感知する。
【００２４】
アルコールセンサ２ａがアルコールを検出すると、マイクロコンピュータ２ｂがアルール検出信号を入力され、イグニション回路に対して作動阻止の指令信号を出力する。該作動阻止指令信号は、電極２ｃを介してイグニション回路に送られ、その点火機能を喪失させる。
図示を省略するが、前記マイクロコンピュータ２ｂによってイグニション回路の作動を阻止する指令信号を発信させることに代えて、始動モータの１次回路を開く形の始動阻止指令信号を発信させても良い。
【００２５】
本発明を実施する場合、その構成に欠くことのできないアルコールセンサについて説明する。
学術的には、酩酊を第１度から第４度までの４段階に分類されている。判定基準は血中アルコール濃度である。
なお一般に、単にアルコールと言えばエチルアルコールを指す場合が多いが、科学的にアルコールと言えばＣＯＯＨ基を有するアルコール類全般を意味することが多く、その前後の記事との関連に留意しなければならない。
【００２６】
本発明においては、紛らわしくない場合に限ってエチルアルコールをアルコールと略称し、エチルアルコール以外のアルコールを含むときはアルコール類と呼んで区別する。
第１度酩酊：血中アルコール濃度０．５〜１．５ｍｇ／ｍｌ（ほろ酔い）
第２度酩酊：血中アルコール濃度１．５〜２．５ｍｇ／ｍｌ（御機嫌）
第３度酩酊：血中アルコール濃度２．５〜３．５ｍｇ／ｍｌ（深酔い）
第４度酩酊：血中アルコール濃度３．５〜４．５ｍｇ／ｍｌ（意識喪失）
【００２７】
医学的に患者を診断する場合であれば、少量の血液を採取して血中アルコール濃度を測定することが可能であるが、例えば交通規制の場合には一々血液検査することは極めて困難である。
そこで道路交通法第６５条や航空法第７０条に基く規定により、被検者の呼気中に含まれているアルコール濃度を基準として、呼気１リットル中にアルコール０．１５ｍｇ以上を含んでいてはならないと定めている。
【００２８】
前記の「呼気中アルコール濃度」は「血中アルコール濃度」と良く相関していて、この呼気中アルコール濃度０．１５ｍｇ／ｌは酒気帯び運転に対応する（道路交通法施行令第４４条の３）。
法的に処罰するための証拠としては高精度の計測を必要とするため、容疑者の呼気１００ｍｌを採取し、これを重クロム酸カリ（黄色）と接触させて、緑色に変化するか否かを目視検査する（化学的変化は難しいが、この検査方法は俗称風船方式として広く知られている）。
【００２９】
本発明の目的を達成するために必要な「アルコール検知性能」は、前記の呼気採取方式（風船方式）に比して次のように異なる。
ａ．公権力を以て容疑者を取調べるのではないから、披検者に対して「風船を膨らませる」といった行為を行なわせる必要の無いものであること、すなわち被検者の行動を制約することなく酩酊を検知できることが必要である。
ｂ．アルコールの検知によって変色することを利用する目視方式の比色検査は望ましくなく、なるべく直接的に電気信号を出力することが望ましい。
ｃ．格別に高精度を要しない。すなわち、法的刑罰を与えるか否かの境界は厳正に明確でなければならないが、本発明に係る酩酊運転防止は別段の処罰ではないから、安全側に若干の誤差が有っても宥される。
ｄ．さらに、酩酊の程度を４段階に区分して表示する必要は無く、運転可・否の２段階に判定すれば足りる。
こうした諸条件を勘案して、本実施形態ではアントラセン センサを用いた。
【００３０】
アントラセンは有機半導体であって、ベンゼン環３個の縮合環を有する芳香族炭化水素である。分子式はＣ１４Ｈ１０であり、分子量１７８．３である。
コールタールに含まれているので、これから分離して精製される。純粋なものは板状に結晶し、紫色の蛍光性を有し、融点２１７〜２１８℃、沸点３４０℃、比重１．２５の半導体物質である。
上記のアントラセンを用いたアルコールセンサのトランスジューサは、１対の電極の間に膜状のアントラセンが配置された構造である。本実施形態においては、基板の上に櫛歯状の１対の電極を対向せしめて配置し、これらの電極をアントラセンの薄膜で覆った構造である。
【００３１】
上述のように構成されたセンサのアントラセン膜の表面にアルコール蒸気が接触すると、該アルコール蒸気が有機半導体（アントラセン）膜の表面に化学吸着されて電荷授受が行なわれ、電気抵抗が減少する。
これにより、前記１対の電極の間に交流電圧を与えて電流値を計測し、アルコール蒸気を検知することができる。直流でなく交流を印加するのは、分極現象の発生を防止するためである。
【００３２】
以上に説明したアントラセン センサは、エチルアルコール以外のアルコール類、およびアルデヒト類を化学吸着しても電気抵抗が減少する。こうした性質は、本発明の目的を達成するために障害とはならない。すなわち、
イ．酩酊者の呼気中に含まれているアルコール類は、実際問題としては純粋にと言い得る程度に、エチルアルコールのみであって、例えばメチルアルコールやプチルアルコール，プロピルアルコール等は含まれていない。
従って、呼気に触れて電気抵抗が減少したとき、その呼気を吐き出した者が酩酊していると判定して間違い無い。
【００３３】
ロ．アントラセンはアルデヒト類にも感応する。
エチルアルコールが消化管で吸収されて人体内に入ると、肝臓に運ばれて酸化され、アセトアルデヒトになる。アセトアルデヒトの分子式はＣＨ３ＣＨＯであり、特異な刺激臭を有する。
運転者の呼気にアセトアルデヒトが混入していることは、該運転者が酩酊していることを意味するから、アントラセンがアセトアルデヒトに感応するという特性は不都合を生じない。
【００３４】
微量の汗の中に含まれている微少なアルコール類を、前記アルコールセンサ２ａによって検知し得るか否かという問題は、運転者が素手である限り心配無い。その理由は次のとおりである。
すなわち、通常の状態において指先が完全に乾燥しているように思われても、指で触れたガラスコップ等に指紋が着くことは誰しも疑わないであろう。
指先の、いわゆる指の腹は乾いているように見えても、転写可能な程度の脂や汗を分泌しているのである。
特に、酩酊している者は交感神経の作用で発汗が盛んになるので、先に述べたアントラセン センサによって確実に検知し得る。
しかし、運転者が不透水性の手袋を装着しているときはアルコールの検知が困難となる。このような場合を想定して本実施形態は図２を参照して次の段落で説明するように、湿度センサを併用する。
【００３５】
図２は前記電子キー２を示す模式図であって、（Ａ）は表面を、（Ｂ）は裏面を、それぞれ描いてある。ただし、表，裏の呼称は便宜上のものであって、相互に変換することもできる。
電子キー２は、前掲の図１（Ｃ）を参照して説明したように、マイクロコンピュータ２ｂとボタン電池２ｄとを内蔵し、かつ、指先で触れる位置にアルコールセンサ２ａが設けられている。
【００３６】
なお、本発明を実施する際、電子キー２に内蔵するボタン電池２ｄを省略することができる。省略した場合は、車体側から電子スイッチ２２（図１（Ａ）および電極２ｃを介して電源の供給を受けるように構成すれば良い。
同様にしてマイクロコンピュータ２ｂを車体側に移すことも不可能ではない。このようにして、電子キー２に内蔵すべき部品の一部を車体側に移した場合は本実施形態の変形例として本発明の技術的範囲に属する。
【００３７】
（図２参照）本例の電子キー２は、指先で触れる箇所にアルコールセンサ２ａが設けられており、かつ、その裏側に湿度センサ２ｅが設けられている。
この湿度センサ２ｅが所定値以上の湿度を検知し、または湿度の不連続的な上昇を検知したときは、運転者が素手で電子キーを持ったものと判断される。
従って、湿度が検知され、かつアルコール蒸気を感知しなかったときは「酩酊していない」と判断される。
アルコール蒸気が検知されなくても、湿度を検知しないとき（詳しくは、所定値以上の湿度も、湿度の不連続的上昇も検知しなかったとき）は、運転者が未だ素手で電子キーに触れていないと判断されるので、ゴーサインの出力は保留する。
【００３８】
次に、湿度センサ２ｅについて説明する。
湿度は人間生活と密接に関連しており、保健衛生をはじめ農業，園芸，畜産，食品加工（特に醗酵）、さらには最先端技術である電子機器生産やバイオテクノロジーに至るまで、ほとんど有りとあらゆる面で湿度の管理が必要である。
このため、湿度の計測は古くから行なわれていて、古典的な乾湿球湿度計や毛髪温度計から近代的な半導体温度計に至るまで、多種多様の湿度計が公知であり、かつ実用されている。
【００３９】
これら多種類の湿度計の中から、小形，軽量でメンティナンス性の良いもの、望ましくは直接的に電気信号を出力するものを選定して用いることができる。
これらの条件を満たし得るものとして、吸湿して物性を変化させる高分子化合物が有り、簡単に分類すると次のごとくである。
（ａ）吸湿によってイオン伝導効果を生じるもの：高分子電解質など、
（ｂ）吸湿によって体積が変化するもの：セルローズ系高分子。
（ｃ）吸湿によって電気伝導度が変化するもの：炭素粒子分散吸湿性樹脂。
（ｄ）湿度に伴って振動子負荷が変化するもの：水晶振動子＋ポリアミド。
【００４０】
本発明の実施に好適なものの１例として、株式会社サイマレックス社製の高分子湿度センサＨＳ１２（商標名）が挙げられる。
この製品の本体部は１５ｍｍ×１２ｍｍの方形薄板状であるから電子キーに半ば埋設して固定することができる。
この湿度センサの要部は、焼結体に１対の電極を設けるとともに、この電極を覆って感湿性ペーストが成膜されている。湿度が上昇すると、多孔質の感湿性ペーストに吸着された表面水分子が焼結体の導電性粒子と結合してイオンを生じ、電気抵抗が減少するので湿度センサとして機能する。
【００４１】
図３は、前掲の図１および図２に示した電子キー２を用いた実務形態における作動を説明するためのフローチャートである。（これらの図を併せて参照）、
ステップａで電子キーが挿入されると、ステップｂでマイクロコンピュータ２ｂが作動を開始し、ステップｃで湿度センサ２ｅが湿度検知を行なう。
湿度が検知されるとステップｄに進んで、アルコールセンサ２ａによるアルコール検知を行なうが、このステップｃで湿度を検知しなければ運転者の指が直接的に電子キー２に触れられていないものと判定してステップｄに進まない。
ステップｄでアルコールを検知すると、ステップｆに進んでイグニッション阻止信号を発信する。
ステップｄでアルコールを検知しなければ、ステップｅに進んでイグニション回路の作動を開始させる。
【００４２】
この図３は、電子キー２によってイグニション回路を制御することにより酩酊運転を防止する場合を描いてある。
図示を省略するが、イグニション回路に代えてスタータ回路を制御したり、燃料系統を制御したりすることもできる。これらの場合も、図３のステップａからステップｄまでは同様であり、
ステップｆの「イグニション阻止信号発信」を「スタータ阻止信号発信」と読み換えるとともに、ステップｅの「イグニション回路作動開始」を「スタータ１次回路作動開始」と読み換え、
又は、ステップｆの「イグニション阻止信号発信」を、「燃料供給阻止信号発信」と読み換え、ステップｅの「イグニション回路作動開始」を、「燃料供給作動開始」と読み換えればよい。
【００４３】
上記と同様に、トランスミッションを制御して自動車の運転を阻止することもでき、操向系統を制御して自動車の運転を阻止することもできる。
これらの場合もステップａからステップｄまでは図３のフローチャートと同様であり、ステップｆとステップｅとを前例に倣って読み換える。
すなわち、
ステップｆの「イグニション阻止信号発信」を「トランスミッション強制中立信号発信」と読み換えるとともに、ステップｅの「イグニション回路作動開始」を「トランスミッション強制中立解除」と読み換え、
又は、ステップｆの「イグニション阻止信号発信」を、「操向系統作動阻止信号発信」と読み換え、ステップｅの「イグニション回路作動開始」を、「操向系統作動阻止解除」と読み換えればよい。
【図面の簡単な説明】
【００４４】
【図１】本発明における電子キーの概念を表すための図であって、（Ａ）は電子キーを電子スイッチに対応させた状態を、（Ｂ）は電子キーを指先で持ったときの外観を、（Ｃ）は該電子キーの主要構成部材を、それぞれ描いてある。
【図２】前掲の図１に示した電子キーの拡大詳細図であって、（Ａ）は表面を（Ｂ）は裏面をそれぞれ描いてある。
【図３】前掲の図１および図２に示した実施形態における作動を表したフローチャートである。
【図４】危険運転防止装置に係る試案を描いた模式的な正面図に自動制御の系統図を付記した図である。
【符号の説明】
【００４５】
１Ａ…運転席アルコールセンサ
１Ｂ…客席アルコールセンサ
２…電子キー
２ａ…アルコールセンサ
２ｂ…マイクロコンピュータ
２ｃ…電極
２ｄ…ボタン電池
２ｅ…湿度センサ
３Ａ，３Ｂ…アルコール検出回路
４…比較判定回路
５…変速機中立位置ロック信号
６…トランスミッション
７…点火系統作動阻止信号
８…キースイッチ
９…操向系統作動阻止信号
１０…パワーステアリング
１１…始動系統作動阻止信号
１２…セルモータ
１３…燃料系統遮断信号
１４…燃料ノズル
１５…風向センサ
１６…比較回路
２１…ダッシュボード
２３…点火系統
ａ…フロー図におけるキー挿入ステップ
ｂ…フロー図におけるマイコン作動開始ステップ
ｃ…フロー図における湿度検知ステップ
ｄ…フロー図におけるアルコール検知ステップ
ｅ…フロー図におけるイグニション作動開始ステップ
ｆ…フロー図における作動阻止ステップ
ＡＣＵ…自動制御装置
【図１】
2008007100.tif 000003
【図２】
2008007100.tif 000004
【図３】
2008007100.tif 000005
【図４】
2008007100.tif 000006